(57)【要約】【課題】  交換装置において、収容している電話端末に係る通話を、キャラクタアドレスを用いて接続させる。【解決手段】  本発明は、電話端末を収容している交換装置において、収容している電話端末に係る通話の接続に関する。そして、交換装置は、収容している電話端末に係る通話の接続に適用される番号と、数字以外のキャラクタを含むキャラクタ列で構成されるキャラクタアドレスとを対応付けて登録している手段と、収容している電話端末に係る通話を接続させようとする場合には、登録されている情報に基づいて、その通話に係る宛先情報を、対応する番号又はキャラクタアドレスに変更し、その通話を接続させる手段とを有することを特徴とする。【選択図】      図１
2009212574.tif 000002
【特許請求の範囲】
【請求項１】
電話端末を収容している交換装置において、
当該交換装置において収容している電話端末に係る通話の接続に適用される番号と、数字以外のキャラクタを含むキャラクタ列で構成されるキャラクタアドレスとを対応付けて登録している情報登録手段と、
当該交換装置が収容している電話端末に係る通話を接続させようとする場合には、上記情報登録手段に登録されている情報に基づいて、その通話に係る宛先情報を、対応する番号又はキャラクタアドレスに変更し、その通話を接続させる接続手段と
を有することを特徴とする交換装置。
【請求項２】
上記情報登録手段は、当該交換装置が収容している電話端末の端末識別番号と、キャラクタアドレスとを対応付けて登録し、
上記接続手段は、外部装置から当該交換装置にキャラクタアドレスを宛先情報とする通話が着信すると、上記情報登録手段に登録されている情報に基づいて、その通話に係る宛先情報を、その宛先情報に係るキャラクタアドレスに対応する端末識別番号に変更し、変更された宛先情報に係る端末識別番号の電話端末に、その通話を接続させる
ことを特徴とする請求項１に記載の交換装置。
【請求項３】
上記情報登録手段は、当該交換装置が収容している電話端末が通話の発信に用いる番号と、キャラクタアドレスとを対応付けて登録し、
上記接続手段は、当該交換装置が収容している発信元の電話端末から、番号を宛先情報とする通話の発信があると、上記情報登録手段に登録されている情報に基づいて、その通話に係る宛先情報を、その宛先情報に係る番号に対応するキャラクタアドレスに変更し、その通話を外部装置に発信して接続させる
こと特徴とする請求項１又は２に記載の交換装置。
【請求項４】
電話端末を収容している交換装置における接続方法において、
情報登録手段、接続手段を有し、
上記情報登録手段は、上記交換装置において収容している電話端末に係る通話の接続に適用される番号と、数字以外のキャラクタを含むキャラクタ列で構成されるキャラクタアドレスとを対応付けて登録しており、
上記接続手段は、上記交換装置が収容している電話端末に係る通話を接続させようとする場合には、上記情報登録手段に登録されている情報に基づいて、その通話に係る宛先情報を、対応する番号又はキャラクタアドレスに変更し、その通話を接続させる
ことを特徴とする接続方法。
【発明の詳細な説明】
【技術分野】
【０００１】
本発明は、交換装置及び接続方法に関し、例えば、ＩＰ−ＰＢＸに適用し得る。
【背景技術】
【０００２】
ＰＢＸにＳＩＰ（Ｓｅｓｓｉｏｎ  Ｉｎｉｔｉａｔｉｏｎ  Ｐｒｏｔｏｃｏｌ）等のプロトコルを使用するＩＰ回線を接続した通信システムが増加している。また最近は、通話料金の割安な通信キャリアもあり、ＰＢＸの機能としてアダプタなどの中間的な装置を介さず、直接ＩＰ回線経由で通話料金の割安なＳＩＰを用いた通信キヤリアに接続できるような要求も高まっている。
【０００３】
従来では、相手先の情報や加入者の情報は番号で管理されており、通常の電話機（例えば、アナログ電話機や多機能電話機など）からもダイヤルにより要求する相手先を呼び出し、ＰＢＸダイヤルイン機能などで、着信したときの番号情報からＰＢＸ内の特定の電話機に着信させるサービスも存在する。
【０００４】
特許文献１に記載の方法では、３Ｇ３２４Ｍゲートウェイを用いた通信システムにおいて、３Ｇ携帯電話からＩＰ電話端末へ電話を行う場合は、ＩＳＤＮサービスにあるダイヤルイン方式やサブアドレスを利用している。
【０００５】
例えば、３Ｇ携帯電話からＩＰ電話端末へと電話を行う場合、３Ｇ３４２Ｍゲートウェイでサブアドレス（例えば、１００）とＩＰ電話端末のアドレス（例えば、Ｓｉｐ：Ｓａｔｏ＠ａｂｃ．ｃｏ．ｊｐ）を予め対応付けておき、３Ｇ携帯電話から０３−１２３４５６７８＊１００が入力されると０３−１２３４５６７８がダイヤルイン番号で＊マーク以降の１００がサブアドレスと判断され、サブアドレス１００に対応付いたアドレスＳｉｐ：Ｓａｔｏ＠ａｂｃ．ｃｏ．ｊｐに対応したＩＰ電話端末とを通話させる。
【特許文献１】特開２００５−２８６４７５号公報
【発明の開示】
【発明が解決しようとする課題】
【０００６】
特許文献１に記載の方法では、３Ｇ携帯電話からダイヤルイン方式やサブアドレスを利用して電話番号を接続要求として送信し、３Ｇ３２４Ｍゲートウェイが接続要求に基づいて３Ｇ携帯電話とＩＰ電話を接続する方法が記載されている。しかしながら、特許文献１に記載の方法においては、ＳＩＰに基づく通話の接続要求について携帯電話に着信をさせることができない。また、携帯電話から通話を発信する発信先が、数字以外のキャラクタを含むキャラクタ列（例えば、「ＰＢＸｔｅｒｍＡ＠ｐｂｘ．ｃｏｍ」や、「０１２３＠ｐｂｘ．ｃｏｍ」など）で構成されるアドレス（以下、「キャラクタアドレス」という）を用いて、発信することができないという問題があった。
【０００７】
そのため、交換装置（例えば、ＰＢＸ、ＩＰ−ＰＢＸなど）において、収容している電話端末に係る通話を、キャラクタアドレスを用いて接続（例えば、通話の発信、着信など）させることができる交換装置及び接続方法が望まれている。
【課題を解決するための手段】
【０００８】
第１の本発明の交換装置は、（１）電話端末を収容している交換装置において、（２）当該交換装置において収容している電話端末に係る通話の接続に適用される番号と、数字以外のキャラクタを含むキャラクタ列で構成されるキャラクタアドレスとを対応付けて登録している情報登録手段と、（３）当該交換装置が収容している電話端末に係る通話を接続させようとする場合には、上記情報登録手段に登録されている情報に基づいて、その通話に係る宛先情報を、対応する番号又はキャラクタアドレスに変更し、その通話を接続させる接続手段とを有することを特徴とする。
【０００９】
第２の本発明の接続方法は、（１）電話端末を収容している交換装置における接続方法において、（２）情報登録手段、接続手段を有し、（３）上記情報登録手段は、上記交換装置において収容している電話端末に係る通話の接続に適用される番号と、数字以外のキャラクタを含むキャラクタ列で構成されるキャラクタアドレスとを対応付けて登録しており、（４）上記接続手段は、上記交換装置が収容している電話端末に係る通話を接続させようとする場合には、上記情報登録手段に登録されている情報に基づいて、その通話に係る宛先情報を、対応する番号又はキャラクタアドレスに変更し、その通話を接続させることを特徴とする。
【発明の効果】
【００１０】
本発明によれば、交換装置において、収容している電話端末に係る通話を、キャラクタアドレスを用いて接続させることができる。
【発明を実施するための最良の形態】
【００１１】
（Ａ）主たる実施形態
以下、本発明による交換装置及び接続方法の一実施形態を、図面を参照しながら詳述する。なお、この実施形態の交換装置は、ＩＰ−ＰＢＸである。
【００１２】
（Ａ−１）実施形態の構成
図１は、この実施形態の通信システム１の全体構成を示すブロック図である。
【００１３】
図１において、通信システム１は、ＩＰ−ＰＢＸ１０、内線電話端末２０、ＳＩＰソフトフォン３０、ＳＩＰサーバ４０、ルータ５１、５２を有している。
【００１４】
図１において、ＳＩＰサーバ４０は、ＳＩＰを用いて呼制御などを行う装置であり、ＩＰネットワークＮに接続し、ＳＩＰソフトフォン３０を収容している。なお、図１においては、ＳＩＰサーバ４０に収容されているＳＩＰソフトフォン３０は１台の構成となっているが、収容する端末の数は限定されないものである。また、ＳＩＰサーバ４０は、通信キャリアの設備であっても良い。
【００１５】
ＳＩＰソフトフォン３０は、パソコンなどの情報処理装置上に、ソフトウェアで呼処理、音声信号処理などを実現したソフトフォンであり、ルータ１８を経由してＩＰネットワークＮに接続されている。また、ＳＩＰソフトフォン３０は、上述の通りＳＩＰサーバ４０に収容されるソフトフォンとして登録されており、ＳＩＰサーバ４０を介してキャラクタアドレスを使用した通話の発着信が可能である。
【００１６】
ＩＰ−ＰＢＸ１０は、内線電話端末２０を収容している交換装置であり、ルータ５１を介してＩＰネットワークＮに接続している。また、ＩＰ−ＰＢＸ１０はＳＩＰにより通信する手段も有しており、図１においては、ＳＩＰサーバ４０などとＳＩＰによる通信を行う。なお、図１においては、ＩＰ−ＰＢＸ１０に収容されている内線電話端末２０の数は１台の構成となっているが、収容する端末の数は限定されないものである。
【００１７】
ＩＰ−ＰＢＸ１０は、例えば、ＣＰＵ、ＲＯＭ、ＲＡＭ、ＥＥＰＲＯＭ、ハードディスクなどのプログラムの実行構成、及び、他の通信装置と通信をするためのインタフェースを有する装置に、接続プログラム等をインストールすることにより構築しても良く、機能的には図１のように表すことができる。
【００１８】
内線電話端末２０は、例えば、アナログ電話機や多機能電話機であっても良いし、ＩＰ電話端末などであってもよく、その種類や機能は限定されないものである。また、内線電話端末２０は、０から９、＊マークおよび＃マークのキーを有しているが、アルファベットなどのその他の文字の入力はできない電話端末であるものとする。
【００１９】
ＩＰ−ＰＢＸ１０は、制御部１１、内線インタフェース部１２、ＩＰインタフェース部１３を有している。ＩＰ−ＰＢＸ１０には、その他にも内線や回線等ＰＢＸサービスに必要な機器を収容しているが、ここでは省略する。
【００２０】
内線インタフェース部１２は、ＩＰ−ＰＢＸ１０と内線電話端末２０とを接続するインタフェースであり、制御部１１の制御に応じて、内線電話端末２０に係る通話を制御するものである。
【００２１】
ＩＰインタフェース部１３は、ＩＰ−ＰＢＸ１０をＩＰネットワークＮに接続させるためのインタフェースであり、ルータ５１を経由してＩＰネットワークＮに接続されている。また、ＩＰインタフェース部１３に係る情報（例えば、アドレスやドメイン名など）は、ＳＩＰサーバ４０に登録されており、制御部１１の制御に応じて、ＳＩＰサーバ４０等とＳＩＰによる通信を行う。
【００２２】
制御部１１は、ＩＰ−ＰＢＸ１０の全体の動作を制御するものであり、キャラクタダイヤルインテーブル１１ａ、番号キャラクタ変換テーブル１１ｂを有している。また、制御部１１は、収容している内線電話端末２０に係る通話について呼制御を行う。例えば、制御部１１は、ＳＩＰサーバ４０からＩＰ−ＰＢＸ１０に、着信した通話を、内線電話端末２０に接続させるように呼制御を行う。また、例えば、制御部１１は、内線電話端末２０から発信された通話を、ＳＩＰサーバ４０（ＳＩＰソフトフォン３０）に向けて発信するように呼制御を行う。
【００２３】
キャラクタダイヤルインテーブル１１ａは、ＩＰ−ＰＢＸ１０が収容している内線電話端末の内線番号（端末識別番号）と、そのキャラクタアドレスの対応関係を登録している記憶手段である。なお、この実施形態では、ＩＰ−ＰＢＸ１０の配下では、内線電話端末２０の識別情報は内線番号であり、ＳＩＰサーバ４０の配下では、ＳＩＰソフトフォン３０の識別情報は上述のキャラクタアドレスで示されるものであるものとする。
【００２４】
図２は、キャラクタダイヤルインテーブル１１ａに登録されている情報の例について示した説明図である。
【００２５】
キャラクタダイヤルインテーブル１１ａのデータは、ＳＩＰサーバ４０から、ＩＰ−ＰＢＸ１０に通話の着信（ＩＮＶＩＴＥメッセージ）があった場合に参照されるものであり、キャラクタアドレスおよびそのキャラクタアドレスに対応する内線番号が組みとなって格納されている。例えば、図２においては、「ＰＢＸｔｅｒｍＡ＠ｐｂｘ．ｃｏｍ」というキャラクタアドレスに対応する内線番号として「１０１」が登録されている。ここで、ＩＰ−ＰＢＸ１０において、内線電話端末２０の内線番号が「１０１」として登録されているものとすると、ＳＩＰサーバ４０からＩＰ−ＰＢＸ１０に、「ＰＢＸｔｅｒｍＡ＠ｐｂｘ．ｃｏｍ」というキャラクタアドレスに対して着信（ＩＮＶＩＴＥメッセージ）があった場合には、制御部１１では、図２に示すキャラクタダイヤルインテーブル１１ａを参照して、内線番号が「１０１」である内線電話端末２０に着信した通話を接続させる。
【００２６】
番号キャラクタ変換テーブル１１ｂは、内線電話端末２０において発信操作が行われた場合に参照されるものであり、番号およびその番号に対応するキャラクタアドレス情報が組となって登録されている。
【００２７】
図３は、番号キャラクタ変換テーブル１１ｂに登録される情報の例について示した説明図である。
【００２８】
例えば、図３においては、「０３１２３４５６７８」という番号に対応するキャラクタアドレスとして「Ｓｏｆｔｐｈｏｎｅ＠ａｂｃ．ｃｏｍ」が登録されているものとする。また、ＳＩＰサーバ４０においてＳＩＰソフトフォン３０に対応するキャラクタアドレスが、「Ｓｏｆｔｐｈｏｎｅ＠ａｂｃ．ｃｏｍ」であるものとする。この場合、内線電話端末２０から、「０３１２３４５６７８」という番号で発信が行われた場合には、制御部１１では、番号キャラクタ変換テーブル１１ｂを参照して、「０３１２３４５６７８」に対応するキャラクタアドレスとして「Ｓｏｆｔｐｈｏｎｅ＠ａｂｃ．ｃｏｍ」を得て、そのキャラクタアドレスを用いてＳＩＰサーバ４０（ＳＩＰソフトフォン３０）に向けて通話の発信を行うように呼制御する。
【００２９】
（Ａ−２）実施形態の動作
次に、以上のような構成を有するこの実施形態におけるＩＰ−ＰＢＸ１０の動作（この実施形態の接続方法）を説明する。
【００３０】
（Ａ−２−１）着信動作
まず、ＳＩＰサーバ４０から、内線電話端末２０宛の通話について、ＩＰ−ＰＢＸ１０に着信があった場合の動作について説明する。なお、ＩＰ−ＰＢＸ１０において、内線電話端末２０は「１０１」という内線番号で登録されているものとする。また、図２に示すように、キャラクタダイヤルインテーブル１１ａにおいては、「ＰＢＸｔｅｒｍＡ＠ｐｂｘ．ｃｏｍ」というキャラクタアドレスに対応する内線番号として「１０１」が登録されているものとする。
【００３１】
図４は、ＳＩＰサーバ４０から、内線電話端末２０宛の通話について、ＩＰ−ＰＢＸ１０に着信があった場合の動作について説明したシーケンス図である。
【００３２】
ＳＩＰサーバ４０からＩＰ−ＰＢＸ１０に、キャラクタアドレス（ＰＢＸｔｅｒｍＡ＠ｐｂｘ．ｃｏｍ）宛に着信（ＩＮＶＩＴＥメッセージ）があった場合、ＩＰ−ＰＢＸ１０（制御部１１）において、ＩＮＶＩＴＥメッセージ内の宛先情報で指定されたキャラクタアドレスでキャラクタダイヤルインテーブル１１ａのデータが検索される(Ｓ１０１)。
【００３３】
そして、ＩＰ−ＰＢＸ１０（制御部１１）において、検索の結果一致したキャラクタアドレスに対応付けられている内線番号が「１０１」である内線電話端末２０を着信先として呼び出し（Ｓ１０２）、上述のステップＳ１０１において着信のあった通話を、内線電話端末２０に接続させる（Ｓ１０３〜Ｓ１０７）。
【００３４】
（Ａ−２−２）発信動作
次に、内線電話端末２０により発信が行われた場合の、ＩＰ−ＰＢＸ１０の動作について説明する。なお、番号キャラクタ変換テーブル１１ｂには、図３に示すように、「０３１２３４５６７８」という番号に対応するキャラクタアドレスとして「Ｓｏｆｔｐｈｏｎｅ＠ａｂｃ．ｃｏｍ」が登録されているものとする。また、ＳＩＰサーバ４０において、ＳＩＰソフトフォン３０に対応するキャラクタアドレスは、「Ｓｏｆｔｐｈｏｎｅ＠ａｂｃ．ｃｏｍ」であるものとする。
【００３５】
図５は、内線電話端末２０により発信が行われた場合の、ＩＰ−ＰＢＸ１０の動作について説明したシーケンス図である。
【００３６】
内線電話端末２０においてダイヤル操作により、発信する相手先番号として「０３１２３４５６７８」が指定されたとき、ＩＰ−ＰＢＸ１０（制御部１１）では、指定された番号で番号キャラクタ変換テーブル１１ｂのデータが検索される(Ｓ２０１、Ｓ２０２)。
【００３７】
そして、ＩＰ−ＰＢＸ１０（制御部１１）において、検索の結果一致した電話番号「０３１２３４５６７８」に対応付けられているキャラクタアドレス「Ｓｏｆｔｐｈｏｎｅ＠ａｂｃ．ｃｏｍ」が、ＩＮＶＩＴＥメッセージ内の相手先情報に設定されて、ＳＩＰサーバ４０に通知され（Ｓ２０３）、上述のステップＳ２０１、Ｓ２０２により内線電話端末２０から発信された通話が、ＳＩＰサーバ４０を介してＳＩＰソフトフォン３０に着信し、通話が確立される（Ｓ２０４〜Ｓ２０９）。
【００３８】
（Ａ−３）実施形態の効果
この実施形態によれば、以下のような効果を奏することができる。
【００３９】
ＩＰ−ＰＢＸ１０において、ＳＩＰサーバ４０からのＳＩＰに基づく接続要求（通話の着信）で接続先（着信先）がキャラクタアドレスであった場合には、自動でキャラクタアドレスに対応する内線番号を選択し、選択した内線番号へ接続させることができる。
【００４０】
また、ＩＰ−ＰＢＸ１０において、内線電話端末２０から発信があった場合に、発信先情報が番号であった場合には、自動で番号に対応するキャラクタアドレスを選択し、選択したキャラクタアドレス宛に発信を行うことができる。
【００４１】
さらに、番号キャラクタ変換テーブル１１ｂを設定することで、例えば０から９、＊マーク、および、＃マーク、のキーしか有していない電話端末であっても、ＩＰ−ＰＢＸ１０を介してキャラクタアドレスを用いた通話の発信を行うことができる。
【００４２】
（Ｂ）他の実施形態
本発明は、上記の実施形態に限定されるものではなく、以下に例示するような変形実施形態も挙げることができる。
【００４３】
（Ｂ−１）上記の実施形態においては、ＩＰ−ＰＢＸに適用した場合について説明したが、例えば、通信キャリアの交換装置などの他の交換装置に適用しても良い。
【００４４】
（Ｂ−２）上記の実施形態においては、ＩＰ−ＰＢＸ１０の通信相手としてＳＩＰサーバ４０（ＳＩＰソフトフォン３０）と通信させた場合について説明したが、ＩＰ−ＰＢＸの通信相手はＳＩＰを用いたシステムに限定されないものである。例えば、ＩＰ−ＰＢＸの通信相手をＨ．３２３などを用いた、他のＩＰ電話のシステムとしても良い。
【００４５】
（Ｂ−３）上記の実施形態において、ＳＩＰソフトフォン３０を、ソフトフォンではなく、同様の機能をハードウェア装置により実現したハードフォンに置き換えても良い。
【００４６】
（Ｂ−４）上記の実施形態においては、ＩＰ−ＰＢＸ１０には、ＩＰネットワークＮのみが接続されているが、さらに、公衆電話網などの他のネットワークにも接続させ、発信に用いる情報が、「番号」であるか「キャラクタアドレス」であるかに応じて、発信先のネットワークを選択するようにしても良い。なお、ＩＰ−ＰＢＸ１０を公衆電話網に接続させる構成としては、例えば、ＩＰ−ＰＢＸ１０自体が公衆電話網に直接接続するインタフェースを有しても良いし、ＩＰネットワークと公衆電話網を接続するゲートウェイ装置を介して接続するようにしても良く、その接続する構成は限定されないものである。
【００４７】
例えば、キャラクタダイヤルインテーブル１１ａにおいて、「０３１２３４５６７８」の番号に対応するキャラクタアドレスが登録されていない場合は、ＩＰ−ＰＢＸ１０はダイヤルされた「０３１２３４５６７８」から接続先を公衆電話網と判断し、公衆電話網に対して通話の発信を行う。一方、上述の図２に示すようにキャラクタダイヤルインテーブル１１ａにおいて、「０３１２３４５６７８」の番号に対応するキャラクタアドレス「Ｓｏｆｔｐｈｏｎｅ＠ａｂｃ．ｃｏｍ」が登録されている場合には、内線電話端末２０から、「０３１２３４５６７８」をダイヤルしたとしてもＩＰ−ＰＢＸ１０で、接続先を「Ｓｏｆｔｐｈｏｎｅ＠ａｂｃ．ｃｏｍ」とし、ＩＰネットワーク（ＳＩＰサーバ４０）を介して接続処理を行う。
【００４８】
このように、発信に用いる情報が、「番号」であるか「キャラクタアドレス」であるかに応じて、発信先のネットワークを選択することにより、より通信料金の低廉なネットワークを選択して接続させ、通信料金を削減させることができる。例えば、公衆電話網が従量課金制で、ＩＰネットワークが定額課金制であった場合、発信先に公衆電話網にもＩＰネットワークにも両方アクセスできる環境があれば、番号で発信してもＩＰネットワークを選択するようにキャラクタダイヤルインテーブル１１ａに情報を登録しておくことにより、ＩＰネットワークのみが使用されることになり、通信料金を削減することができる。
【００４９】
（Ｂ−５）上記の実施形態においては、ＩＰ−ＰＢＸ１０は、キャラクタダイヤルインテーブル１１ａ、及び、番号キャラクタ変換テーブル１１ｂの両方を有する構成となっているが、いずれか一方のみを有する構成としても良い。例えば、ＩＰ−ＰＢＸ１０においてキャラクタダイヤルインテーブル１１ａのみを有して、着信についてのみキャラクタアドレスと内線番号の変換を行うようにしても良い。また、例えば、ＩＰ−ＰＢＸ１０において番号キャラクタ変換テーブル１１ｂのみを有して、発信についてのみ番号とキャラクタアドレスの変換を行うようにしても良い。
【００５０】
（Ｂ−６）上記の実施形態においては、ＩＰ−ＰＢＸ１０が収容している内線電話端末２０に係る通話の発信又は着信に適用した例について説明したが、例えば通話の転送など、その他の通話の接続に係る処理に適用しても良い。
【００５１】
例えば、現在内線電話端末２０が接続中の通話を、ＳＩＰソフトフォン３０に転送しようとした場合の例について説明する。ここでは、番号キャラクタ変換テーブル１１ｂには、図３に示すように、「０３１２３４５６７８」という番号に対応するキャラクタアドレスとして「Ｓｏｆｔｐｈｏｎｅ＠ａｂｃ．ｃｏｍ」が登録されているものとする。また、ＳＩＰサーバ４０においてＳＩＰソフトフォン３０に対応するキャラクタアドレスが、「Ｓｏｆｔｐｈｏｎｅ＠ａｂｃ．ｃｏｍ」であるものとする。この場合、内線電話端末２０において接続中の通話の転送先として「０３１２３４５６７８」という番号が指定された場合には、制御部１１では、番号キャラクタ変換テーブル１１ｂを参照して、「０３１２３４５６７８」に対応するキャラクタアドレスとして「Ｓｏｆｔｐｈｏｎｅ＠ａｂｃ．ｃｏｍ」を得て、そのキャラクタアドレスを用いてＳＩＰサーバ４０（ＳＩＰソフトフォン３０）に向けて通話の発信を行い、上述の内線電話端末２０において接続中の通話の相手先と、ＳＩＰソフトフォン３０とを接続させて通話を転送するようにしても良い。
【図面の簡単な説明】
【００５２】
【図１】実施形態に係る通信システムの全体構成を示すブロック図である。
【図２】実施形態に係るキャラクタダイヤルインテーブルに登録される情報の例について示した説明図である。
【図３】実施形態に係る番号キャラクタ変換テーブルに登録される情報の例について示した説明図である。
【図４】実施形態に係る内線電話端末により発信が行われた場合の、ＩＰ−ＰＢＸの動作について説明したシーケンス図である。
【図５】実施形態に係る内線電話端末により発信が行われた場合の、ＩＰ−ＰＢＸの動作について説明したシーケンス図である。
【符号の説明】
【００５３】
１…通信システム、１０…ＩＰ−ＰＢＸ、１１…制御部、１１ａ…キャラクタダイヤルインテーブル、１１ｂ…番号キャラクタ変換テーブル、１２…内線インタフェース部、１３…ＩＰインタフェース部、２０…内線電話端末、３０…ＳＩＰソフトフォン、４０…ＳＩＰサーバ、５１、５２…ルータ、Ｎ…ＩＰネットワーク。
【図１】
2009212574.tif 000003
【図２】
2009212574.tif 000004
【図３】
2009212574.tif 000005
【図４】
2009212574.tif 000006
【図５】
2009212574.tif 000007